【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】  記録媒体を回転するモータと、
記録媒体の内容を読取る読取り手段と、
モータを、読取り手段による読取り動作に適した速度に保って速度制御する速度制御手段とを有する記録媒体の再生装置において、
読取り手段の出力に応答し、記録媒体の読取り異常が生じていることを検出する異常検出手段と、
異常検出手段の出力に応答し、読取り異常が生じたとき、速度制御手段による速度制御を解除するとともに、予め定める電圧を、予め定める時間だけ、モータに与え、その後、速度制御手段によるモータの速度制御を行わせる起動速度制御手段とを備えることを特徴とする記録媒体の再生装置。
【請求項２】  起動速度制御手段は、
記録媒体の回転停止状態から読取り手段による読取り動作に適した回転速度まで到達させるための予め定める第１の時間Ｗ１だけ、予め定める電圧Ｖ１を、モータに与える第１の起動手段と、
異常検出手段の出力に応答し、読取り異常が生じたとき、前記予め定める電圧Ｖ１を、第１の時間Ｗ１未満である第２の時間Ｗ２だけ、モータに与え、その後、速度制御手段によるモータの速度制御を行わせる第２の起動手段とを備えることを特徴とする請求項１記載の記録媒体の再生装置。
【請求項３】  第２の起動手段は、
記録媒体のアドレスに対応する前記第２の時間Ｗ２をストアするメモリと、
異常検出手段の出力に応答し、読取り異常が生じたとき、その異常が生じる直前における記録媒体の読取っていた読取り位置を表すアドレスを検出するアドレス検出手段とを備え、
異常検出手段によって読取り異常が検出されたとき、アドレス検出手段によって検出されたアドレスに対応する第２の時間Ｗ２だけ、モータに与えることを特徴とする請求項２記載の記録媒体の再生装置。
【請求項４】  起動速度制御手段は、
記録媒体の回転停止状態から読取り手段による読取り動作に適した回転速度まで到達させるための予め定める時間Ｗ１だけ、予め定める第１電圧Ｖ１を、モータに与える第３の起動手段と、
異常検出手段の出力に応答し、読取り異常が生じたとき、前記電圧Ｖ１未満である電圧Ｖ２を、前記予め定める時間Ｗ１だけ、モータに与え、その後、速度制御手段によって、モータの速度制御を行わせる第４の起動手段とを備えることを特徴とする請求項１記載の記録媒体の再生装置。
【請求項５】  前記第４の起動手段は、
記録媒体のアドレスに対応する前記第２の電圧Ｖ２をストアするメモリと、
異常検出手段の出力に応答し、読取り異常が生じたとき、その異常が生じる直前における記録媒体の読取っていた読取り位置を表すアドレスを検出するアドレス検出手段とを備え、
異常検出手段によって読取り異常が検出されたとき、アドレス検出手段によって検出されたアドレスに対応する第２電圧Ｖ２だけ、モータに与えることを特徴とする請求項４記載の記録媒体の再生装置。
【請求項６】  記録媒体を回転するモータと、
記録媒体の記録内容を読取る読取り手段と、
モータを、読取り手段による読取り動作に適した速度に保って速度制御する速度制御手段とを有する記録媒体の再生装置において、
読取り手段の出力に応答し、記録媒体の読取り異常が生じていることを検出する異常検出手段と、
異常検出手段の出力に応答し、読取り異常が生じたとき、速度制御手段による速度制御を解除するとともに、予め定める電圧を、予め定める時間だけ、モータに与え、その後、速度制御手段によるモータの速度制御を行わせる起動速度制御手段と、
起動速度制御手段による速度制御が解除されると、読取り手段を、記録媒体の半径方向の予め定める位置に一旦、移動させる移動手段とを備えることを特徴とする記録媒体の再生装置。
【請求項７】  読取り異常は、読取り手段によるフォーカス外れ、または読取り手段による記録媒体の記録内容の読取り不能であることを特徴とする請求項１〜６のうちの１つに記載の記録媒体の再生装置。
【手続補正２】
【補正対象書類名】明細書
【補正対象項目名】０００５
【補正方法】変更
【補正の内容】
【０００５】
【課題を解決するための手段】
本発明は、記録媒体を回転するモータと、
記録媒体の内容を読取る読取り手段と、
モータを、読取り手段による読取り動作に適した速度に保って速度制御する速度制御手段とを有する記録媒体の再生装置において、
読取り手段の出力に応答し、記録媒体の読取り異常が生じていることを検出する異常検出手段と、
異常検出手段の出力に応答し、読取り異常が生じたとき、速度制御手段による速度制御を解除するとともに、予め定める電圧を、予め定める時間だけ、モータに与え、その後、速度制御手段によるモータの速度制御を行わせる起動速度制御手段とを備えることを特徴とする記録媒体の再生装置である。
【手続補正３】
【補正対象書類名】明細書
【補正対象項目名】０００６
【補正方法】変更
【補正の内容】
【０００６】
本発明に従えば、速度制御手段によって、モータは、記録媒体の速度制御動作を行い、こうして記録媒体が回転駆動され、たとえば記録媒体のトラックの読取りを行う位置での線速度が一定の値になるように、速度制御される。
【手続補正４】
【補正対象書類名】明細書
【補正対象項目名】００１８
【補正方法】変更
【補正の内容】
【００１８】
また本発明は、記録媒体を回転するモータと、記録媒体の記録内容を読取る読取り手段と、
モータを、読取り手段による読取り動作に適した速度に保って速度制御する速度制御手段とを有する記録媒体の再生装置において、
読取り手段の出力に応答し、記録媒体の読取り異常が生じていることを検出する異常検出手段と、
異常検出手段の出力に応答し、読取り異常が生じたとき、速度制御手段による速度制御を解除するとともに、予め定める電圧を、予め定める時間だけ、モータに与え、その後、速度制御手段によるモータの速度制御を行わせる起動速度制御手段と、
起動速度制御手段による速度制御が解除されると、読取り手段を、記録媒体の半径方向の予め定める位置に一旦、移動させる移動手段とを備えることを特徴とする記録媒体の再生装置である。
【手続補正５】
【補正対象書類名】明細書
【補正対象項目名】００５１
【補正方法】変更
【補正の内容】
【００５１】
【発明の効果】
請求項１の本発明によれば、読取り異常が異常検出手段によって検出され、これによって速度制御手段による速度制御が解除され、この速度制御が解除されても、記録媒体は、比較的高速度で回転しており、したがって、予め定める電圧を、予め定める時間だけ、モータに与え、これによって記録媒体の回転速度が、異常な高速度になることを防ぐことができる。したがってモータの回転速度が異常に高くなることによるエラー停止が防がれ、またモータが高速度によって破損することを防ぐことができる。
【手続補正６】
【補正対象書類名】明細書
【補正対象項目名】００５６
【補正方法】変更
【補正の内容】
【００５６】
請求項６の本発明によれば、読取り異常が生じたとき、読取り手段は、記録媒体の半径方向のたとえば最内方位置である予め定める位置に一旦、移動手段によって移動され、その後、再び、起動速度制御手段によるモータの速度制御が行われ、このとき、予め定める電圧が予め定める時間だけ、モータに与えられるので、その回転速度が異常な高速度になることを防ぐことができる。このように移動手段によって読取り手段が半径方向の予め定める位置に一旦、移動される構成においても、前述の請求項２〜５と同様な速度制御が行われる。